(57)【要約】【課題】より効果的に参加者を所定の場所に誘引できる当選決定システムを提供すること。【解決手段】この当選決定システム１０は、ユーザが使用する移動機２０に対して当選位置に関連する予備情報を送信する情報送信部１０２と、当該予備情報を受信した移動機２０から、当該移動機２０の位置を特定する位置情報を受信する位置受信部１０３と、当該受信した位置情報と当選位置とに基づいて、当選した移動機２０を決定する当選決定部１０４と、当該決定した移動機２０に対して当選結果を送信する当選結果送信部１０５と、を含む。【選択図】　図１
2004127191.tif 000002
【特許請求の範囲】
【請求項１】
ユーザが使用する移動機に対して当選位置に関連する予備情報を送信する情報送信手段と、
当該予備情報を受信した前記移動機から、当該移動機の位置を特定する位置情報を受信する位置受信手段と、
当該受信した位置情報と前記当選位置とに基づいて、当選した移動機を決定する当選決定手段と、
少なくとも当該決定した移動機に対して当選結果を送信する当選結果送信手段と、
を含む当選決定システム。
【請求項２】
前記予備情報は、少なくとも前記当選位置に関連する画像情報を含む請求項１に記載の当選決定システム。
【請求項３】
前記予備情報は、少なくとも前記当選位置に関連する音声情報を含む請求項１に記載の当選決定システム。
【請求項４】
前記情報送信手段は、前記移動機からの要求に応じて前記予備情報を送信する請求項１に記載の当選決定システム。
【請求項５】
情報送信手段が、ユーザが使用する移動機に対して当選位置に関連する予備情報を送信する情報送信ステップと、
位置受信手段が、当該予備情報を受信した前記移動機から、当該移動機の位置を特定する位置情報を受信する位置受信ステップと、
当選決定手段が、当該受信した位置情報と前記当選位置とに基づいて、当選した移動機を決定する当選決定ステップと、
当選結果送信手段が、少なくとも当該決定した移動機に対して当選結果を送信する当選結果送信ステップと、
を含む当選決定方法。
【請求項６】
前記予備情報は、少なくとも前記当選位置に関連する画像情報を含む請求項５に記載の当選決定方法。
【請求項７】
前記予備情報は、少なくとも前記当選位置に関連する音声情報を含む請求項５に記載の当選決定方法。
【請求項８】
前記情報送信手段は、前記移動機からの要求に応じて前記予備情報を送信する請求項５に記載の当選決定方法。
【請求項９】
コンピュータを、
ユーザが使用する移動機に対して当選位置に関連する予備情報を送信する情報送信手段と、
当該予備情報を受信した前記移動機から、当該移動機の位置を特定する位置情報を受信する位置受信手段と、
当該受信した位置情報と前記当選位置とに基づいて、当選した移動機を決定する当選決定手段と、
少なくとも当該決定した移動機に対して当選結果を送信する当選結果送信手段と、
して機能させるための当選決定プログラム。
【請求項１０】
前記予備情報は、少なくとも前記当選位置に関連する画像情報を含む請求項９に記載の当選決定プログラム。
【請求項１１】
前記予備情報は、少なくとも前記当選位置に関連する音声情報を含む請求項９に記載の当選決定プログラム。
【請求項１２】
前記情報送信手段は、前記移動機からの要求に応じて前記予備情報を送信する請求項９に記載の当選決定プログラム。
【請求項１３】
請求項９から１２のいずれか１項に記載の当選決定プログラムが記録されたことを特徴とするコンピュータ読取可能な記録媒体。
【発明の詳細な説明】
【０００１】
【発明の属する技術分野】
本発明は、当選決定システム、当選決定方法、当選決定プログラム、及び、コンピュータ読取可能な記録媒体に関するものである。
【０００２】
【従来の技術】
母集団の中から当選者を決定する方法としては、種々の方法がある。例えば、母集団の中から無作為に当選者を抽選する方法、各人に任意の数字列（又は記号列）を割り当てた後に当選数字列を決定する方法、いわゆる「くじ引き」による方法、サッカーといった試合の結果を予想させて当選者を決定する方法がある。このような種々の当選者を決定する方法には、当選者を決定することそのものに意義があるものや、参加者から集めた金銭の一部を利用することに意義があるものがある。
【０００３】
【発明が解決しようとする課題】
しかしながら、従来の当選者を決定する方法は、直接的に参加者を所定の場所に誘引することに意義があるものは無かった。例えば、百貨店の福引セールなどは、その百貨店に近隣の顧客を来店させることを目的とはしているものの、参加者にとっては単なる「くじ引き」を超えるものではなく、「くじ引き」そのものに興味のない顧客を呼び寄せることができるほどの誘引力はない。
【０００４】
そこで本発明では、より効果的に参加者を所定の場所に誘引できる、当選決定システム、当選決定方法、当選決定プログラム、及び、コンピュータ読取可能な記録媒体を提供することを課題とする。
【０００５】
【課題を解決するための手段】
本発明の当選決定システムは、ユーザが使用する移動機に対して当選位置に関連する予備情報を送信する情報送信手段と、当該予備情報を受信した移動機から、当該移動機の位置を特定する位置情報を受信する位置受信手段と、当該受信した位置情報と当選位置とに基づいて、当選した移動機を決定する当選決定手段と、少なくとも当該決定した移動機に対して当選結果を送信する当選結果送信手段と、を含む。
【０００６】
本発明の当選決定方法は、情報送信手段が、ユーザが使用する移動機に対して当選位置に関連する予備情報を送信する情報送信ステップと、位置受信手段が、当該予備情報を受信した移動機から、当該移動機の位置を特定する位置情報を受信する位置受信ステップと、当選決定手段が、当該受信した位置情報と当選位置とに基づいて、当選した移動機を決定する当選決定ステップと、当選結果送信手段が、少なくとも当該決定した移動機に対して当選結果を送信する当選結果送信ステップと、を含む。
【０００７】
本発明の当選決定プログラムは、コンピュータを、ユーザが使用する移動機に対して当選位置に関連する予備情報を送信する情報送信手段と、当該予備情報を受信した移動機から、当該移動機の位置を特定する位置情報を受信する位置受信手段と、当該受信した位置情報と当選位置とに基づいて、当選した移動機を決定する当選決定手段と、少なくとも当該決定した移動機に対して当選結果を送信する当選結果送信手段と、して機能させる。
【０００８】
本発明の当選決定システム又は本発明の当選決定方法によれば、移動機に予備情報を送信するので、ユーザは当選位置に関する情報を入手できる。その後ユーザが移動機を用いて送信した位置情報と当選位置とに基づいて当選した移動機を決定するので、移動機の位置と当選位置とに関連性を持たせることができ、移動機のユーザを特定の場所に誘引できる。またコンピュータを用いて本発明の当選決定プログラムを実行しても同様である。
【０００９】
また本発明の当選決定システム、当選決定方法、及び、当選決定プログラムでは、予備情報は少なくとも当選位置に関連する画像情報を含むことが好ましい。当選位置に関する画像情報が移動機に送信されると、ユーザは当選位置に関する情報を視覚的に取得できるので、当選位置に移動するインセンティブとして予備情報が機能する。
【００１０】
また本発明の当選決定システム、当選決定方法、及び、当選決定プログラムでは、予備情報は少なくとも当選位置に関連する音声情報を含むことが好ましい。当選位置に関連する音声情報が移動機に送信されると、ユーザは当選位置に関連する情報を聴覚的に取得できるので、当選位置に移動するインセンティブとして予備情報が機能し、特に視覚に障害を持っている人に対して有効に機能することとなる。
【００１１】
また本発明の当選決定システム、当選決定方法、及び、当選決定プログラムでは、情報送信手段は移動機からの要求に応じて予備情報を送信することが好ましい。要求があった移動機に対して予備情報を送信するので、不必要な移動機に予備情報を送信することが低減される。
【００１２】
本発明のコンピュータ読取可能な記録媒体は、上記いずれかの当選決定プログラムが記録されている。コンピュータを用いて、本発明の記録媒体に記録された当選決定プログラムを実行すると、移動機に予備情報を送信するので、ユーザは当選位置に関する情報を入手できる。その後ユーザが移動機を用いて送信した位置情報と当選位置とに基づいて当選した移動機を決定するので、移動機の位置と当選位置とに関連性を持たせることができ、移動機のユーザを特定の場所に誘引できる。
【００１３】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１４】
本発明の実施形態である当選決定システム１０について図１を用いて説明する。図１は当選決定システム１０を説明するための図である。当選決定システム１０は、無線通信網４０を介して移動機２０と通信可能に構成されている。
【００１５】
移動機２０は、データ通信機能を併せ持った携帯電話機であり、ＴＤＭＡ（Ｔｉｍｅ　Ｄｉｖｉｓｉｏｎ　Ｍｕｌｔｉｐｌｅ　Ａｃｃｅｓｓ）方式の一つであるＰＤＣ（Ｐｅｒｓｏｎａｌ　Ｄｉｇｉｔａｌ　Ｃｅｌｌｕｌａｒ）方式を採用しているが、ＣＤＭＡ（Ｃｏｄｅ　Ｄｉｖｉｓｉｏｎ　Ｍｕｌｔｉｐｌｅ　Ａｃｃｅｓｓ）方式といった他の方式のデジタル携帯電話機であってもよく、ＧＰＲＳ（Ｇｅｎｅｒａｌ　Ｐａｃｋｅｔ　Ｒａｄｉｏ　Ｓｅｒｖｉｃｅ）といった方式も採用可能であり、データ通信可能な種々の方式が適宜採用される。更に、ＩＭＴ−２０００といったいわゆる第三世代の移動体通信方式であってもよい。また、携帯電話機の代わりに通信機能を持ったＰＤＡ（Ｐｅｒｓｏｎａｌ　Ｄｉｇｉｔａｌ　Ａｓｓｉｓｔａｎｃｅ）といった携帯情報端末であってもよく、情報通信可能な機器が広く適用可能となる。また、移動機２０は、ＧＰＳ（Ｇｒｏｂａｌ　Ｐｏｓｉｔｉｏｎｉｎｇ　Ｓｙｓｔｅｍ）機能を搭載しており、自機の位置を把握し、その位置情報を取得することができる。尚、移動機２０は、基地局信号を用いた基地局測位によってその位置情報を取得することができるようにしてもよい。
【００１６】
当選決定システム１０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステムとして構成されている。
【００１７】
当選決定システム１０は機能的な構成要素として、要求受信部１０１と、情報送信部（情報送信手段）１０２と、位置受信部（位置受信手段）１０３と、当選決定部（当選決定手段）１０４と、当選結果送信部（当選結果送信手段）１０５と、問題情報格納部１１０と、登録情報格納部１１１とを含む。引き続いて、各構成要素について詳細に説明する。
【００１８】
要求受信部１０１は、移動機２０から送信される問題要求を受信する部分である。より具体的には、当選決定システム１０が実施するくじに参加しようとするユーザが移動機２０を用いて当選決定システム１０にアクセスし、当選決定システム１０に問題の送信を要求する情報を送信した場合に、その情報を受信して情報送信部１０２に出力する部分である。
【００１９】
情報送信部１０２は、要求受信部１０１から出力される問題要求に応じて、当選位置に関連する予備情報としての問題を選択して移動機２０に送信する部分である。より具体的には、問題情報格納部１１０に格納されている画像情報としての問題と、文字情報としてのヒントと、問題ＩＤとを選択して移動機２０に送信する。
【００２０】
問題情報格納部１１０に格納されている情報の例を図２に示す。図２に示すように、問題情報格納部１１０には「問題ＩＤ」「問題」「ヒント」「解答」がそれぞれ関連付けられて格納されており、「解答」には「位置」「許容範囲」「期限」といった情報が含まれている。「問題ＩＤ」は各問題を識別するための記号列である。「問題」は当選位置に関連する画像情報であり、「ヒント」は当選位置に関連する文字情報である。「解答」の「位置」は当選位置の緯度経度情報であり、「許容範囲」は当選位置からどれくらいずれていても当選と扱うかどうかの指標となる数値であり、「期限」は問題の有効期限を示す情報である。例えば、情報送信部１０２が問題ＩＤ「０００１」を選択すれば、情報送信部１０２は移動機に「ｑ０００１．ｇｉｆ」の画像情報と「ｈ０００１．ｔｘｔ」の文字情報とを問題ＩＤ「０００１」と共に送信する。この「ｈ０００１．ｔｘｔ」の文字情報は、「ｑ０００１．ｇｉｆ」の画像情報のみではユーザがどの場所かを判断できない場合に、その場所を示唆する情報である。尚、本実施形態の場合は「期限」を用いているけれども、問題を事前登録する態様を実現するために「期限」の情報に代えて「受付開始」及び「受付完了」といった期間情報を取り扱うようにしてもよい。
【００２１】
問題情報格納部１１０に格納されている情報の別の例を図３に示す。図３に示すように、問題情報格納部１１０には「問題ＩＤ」「問題」「ヒント」「解答」がそれぞれ関連付けられて格納されており、「解答」には「位置」「許容範囲」「期限」といった情報が含まれている。図２に示す例と異なる点は、「問題」が当選位置に関連する音声情報である点である。例えば、当選位置が「蒲田駅」であれば「蒲田行進曲」が当選位置に関連する音声情報となる。当選位置と当選位置に関連する音声情報とは必ずしも一対一の関係になっていない場合もある。例えば、音声情報「荒城の月」に対して当選位置が「大分県竹田市の竹田城」及び「富山県の富山城」というようになっていてもよい。
【００２２】
位置受信部１０３は、情報送信部１０２が予備情報を送信した移動機２０から、移動機２０の位置を特定するための位置情報を受信する部分である。より具体的には、移動機２０が送信する位置情報と、問題ＩＤと、移動機２０を特定する情報（例えば携帯電話番号、端末ＩＤ）とを受信し、それらを関連付けて登録情報格納部１１１に格納する。
【００２３】
登録情報格納部１１１に格納されている情報の例を図４に示す。図４に示すように、登録情報格納部１１１には「携帯電話番号」「問題ＩＤ」「応答」がそれぞれ関連付けられて格納されており、「応答」には「位置」「日時」といった情報が含まれている。「携帯電話番号」は移動機２０の電話番号である。「問題ＩＤ」は情報送信部１０２が送信した問題ＩＤである。「応答」の「位置」は、移動機２０を使用するユーザが、情報送信部１０２が送信した問題及びヒントから当選位置を推測し、その位置と思われる場所に移動して取得した位置情報を送信してきたものである。同様に「応答」の「日時」は、移動機２０を使用するユーザが位置情報を取得した際の日時情報である。例えば、「問題ＩＤ」が０００１の場合に、有効期限は２００２年５月１０日であるから、携帯電話番号「０９０−ａａａ−ｂｂｂｂｂ」のユーザは応答日時が２００２年５月１０日であるのでその応答は有効であり、携帯電話「０９０−ｃｃｃ−ｄｄｄｄｄ」のユーザは応答日時が２００２年５月１１日であるのでその応答は無効である。
【００２４】
当選決定部１０４は、位置受信部１０３が受信した移動機２０の位置情報と、情報送信部１０２が送信した問題に関連付けられた当選位置とに基づいて、当選した移動機２０を特定する部分である。より具体的には、当選決定部１０４は、問題情報格納部１１０に格納されている問題の情報を検索し、期限が到来している問題を選択する。当選決定部１０４は、期限が到来した問題の問題ＩＤに基づいて、登録情報格納部１１１に格納されている対応する登録情報を選択する。更に当選決定部１０４は、問題ＩＤに対応する解答位置（問題ＩＤが０００１であれば、東経１３５°２０′３０″．５５北緯３８°２０′５５″．２０）と応答位置（図４参照）とを比較し、場合によっては許容範囲をも考慮して当選している携帯電話番号を特定する。図４の例に拠れば、携帯電話番号「０９０−ａａａ−ｂｂｂｂｂ」の端末は応答日時及び応答位置共に当選条件を満たしているが、携帯電話番号「０９０−ｃｃｃ−ｄｄｄｄｄ」の端末は応答位置では当選条件を満たしているものの応答日時が超過しており当選条件を満たしておらず、携帯電話番号「０９０−ｅｅｅ−ｆｆｆｆｆ」の端末は応答位置が当選条件を満たしていない。当選決定部１０４は、当選しているとして特定した携帯電話番号を当選結果送信部１０５に出力する。
【００２５】
当選結果送信部１０５は、当選決定部１０４から出力された情報に基づいて、少なくとも当選した移動機２０にその旨の情報を送信する部分である。当選決定部１０４からは携帯電話番号が出力されるので、当選結果送信部１０５はその携帯電話番号に対応する移動機２０に当選結果を通知する。また、当選結果送信部１０５は、当選した移動機以外の移動機に対しては落選した旨の情報を送信するようにしてもよい。当選した移動機のみならず落選した移動機にも情報を送信することで、落選者に再チャレンジを促す契機とすることができる。
【００２６】
引き続いて、当選決定システム１０を用いて当選した移動機を決定する方法について図５を用いて説明する。移動機２０を使用するユーザは、移動機２０を用いて当選決定システム１０に問題要求を送信する（ステップＳ０１）。当選決定システム１０の要求受信部１０１は移動機２０から送信される問題要求を受信し、情報送信部１０２に出力する（ステップＳ０２）。
【００２７】
問題要求を受け取った情報送信部１０２は問題情報格納部１１０に格納されている問題を抽出し、移動機２０に送信する（ステップＳ０３）。移動機２０は問題を受信すると、内蔵するディスプレイに表示する。移動機２０のユーザはその問題を確認し、その表示されている画像や文章に関連すると思う場所に移動する（ステップＳ０４）。
【００２８】
移動後にユーザは、移動機２０を用いて現在位置を取得し、当選決定システム１０に送信する（ステップＳ０５）。この送信の際には、移動機２０を特定する情報や問題ＩＤを共に送信している。当選決定システム１０の位置受信部１０３は、移動機２０から送信された情報を登録情報格納部１１１に格納する（ステップＳ０６）。
【００２９】
当選決定システム１０の当選決定部１０４は、位置受信部１０３の受信動作に関わらず、問題情報格納部１１０に格納されている問題の期限を監視する（ステップＳ０７）。ある問題の期限が到来した場合には、当選決定部１０４は、その問題の解答位置や許容範囲といった情報に基づいて、登録情報格納部１１１に格納されている中から当選した端末を決定する（ステップＳ０８）。
【００３０】
当選結果送信部１０５は、当選決定部１０５が決定した当選端末にその結果を送信する（ステップＳ０９）。
【００３１】
次にコンピュータを、本実施形態の当選決定システム１０として機能させるための当選決定プログラム９２及びそれが記録されているコンピュータ読取可能な記録媒体９について説明する。図６は、当選決定プログラム９２が記録されている記録媒体９の構成を示した図である。記録媒体９としては、例えば、磁気ディスク、光ディスク、ＣＤ−ＲＯＭ、コンピュータに内蔵されたメモリなどが該当する。
【００３２】
記録媒体９は、図６に示すように、プログラムを記録するプログラム領域９１と、データを記録するデータ領域９３とを備えている。データ領域９３には、図１を用いて説明した問題情報格納部１１０、登録情報格納部１１１と同様の問題情報データベース９３１、登録情報データベース９３２が格納されている。
【００３３】
プログラム領域９１には、当選決定プログラム９２が記録されている。当選決定プログラム９２は、処理を統括するメインモジュール９２１と、要求受信モジュール９２２と、情報送信モジュール９２３と、位置受信モジュール９２４と、当選決定モジュール９２５と、当選結果送信モジュール９２６とを備える。ここで、要求受信モジュール９２２、情報送信モジュール９２３、位置受信モジュール９２４、当選決定モジュール９２５、当選結果送信モジュール９２６のそれぞれを動作させることによって実現する機能は、上記当選決定システム１０の要求受信部１０１、情報送信部１０２、位置受信部１０３、当選決定部１０４、当選結果送信部１０５のそれぞれの機能と同様である。
【００３４】
本実施形態の作用及び効果について説明する。当選決定システム１０は移動機２０からの要求に応じて移動機２０に予備情報（問題、ヒント、問題ＩＤ）を送信するので、ユーザは当選位置に関する情報を入手できる。その後ユーザが移動機２０を用いて送信した位置情報と当選位置とに基づいて当選した移動機２０を決定するので、移動機２０の位置と当選位置とに関連性を持たせることができ、移動機２０のユーザを特定の場所に誘引できる。
【００３５】
また、予備情報は少なくとも当選位置に関連する画像情報を含んでいるので、当選位置に関する画像情報が移動機２０に送信されることになり、ユーザは当選位置に関する情報を視覚的に取得できるので、当選位置に移動するインセンティブとして予備情報が機能する。更に、予備情報として当選位置に関連する音声情報を含んでいれば、ユーザは当選位置に関する情報を聴覚的に取得できる。
【００３６】
また、情報送信部１０２は移動機２０からの要求に応じて予備情報を送信するので、不必要な移動機２０に予備情報を送信することが低減される。
【００３７】
また、本実施形態によれば次のようなビジネスモデルを実現することができる。当選決定システム１０の情報送信部１０２は、「５月１０日１０時から１２時まで受付。１２時３０分にＡ商店前で電子福引を行います。当選者には、その場で豪華商品をプレゼント。」といった問題を取り出して移動機２０に送信する。この問題を受信したユーザは、受付完了までにＡ商店前に移動し、氏名、問題ＩＤ、位置情報、端末情報（電話番号等）を当選決定システム１０に送信する。当選決定システム１０は、ユーザから送信された問題ＩＤに基づいて解答情報を取り出し、そのユーザから送信された情報が所定の条件を満たしているかどうかを判断する。この所定の条件を満たしているユーザの中から所定の抽選場件に基づいて当選者を決定し、当選結果送信部１０５が当選結果を通知する。
【００３８】
また、当選者を決定する際には、くじ率を用いてもよい。くじ率とは、単純に一様な当選確率だけではなく、所定のイベント会場の付近では確率を上げるような領域に依存した当選確率を採用してもよい。
【００３９】
更に、指定場所及び指定時間で位置情報を通知すると景品を得ることができるようにしてもよい。例えば、サッカー場内でハーフタイム時間に、当選決定システム１０へ位置情報を送信し、その位置情報に対応した景品交換情報を提供するようにしてよい。
【００４０】
【発明の効果】
本発明によれば、移動機に予備情報を送信するので、ユーザは当選位置に関する情報を入手できる。その後ユーザが移動機を用いて送信した位置情報と当選位置とに基づいて当選した移動機を決定するので、移動機の位置と当選位置とに関連性を持たせることができ、移動機のユーザを特定の場所に誘引できる。従って本発明の目的とする、より効果的に参加者を所定の場所に誘引できる、当選決定システム、当選決定方法、当選決定プログラム、及び、コンピュータ読取可能な記録媒体を提供することができた。
【図面の簡単な説明】
【図１】本発明の実施形態である当選決定システムを説明するための図である。
【図２】図１の問題情報格納部に格納される情報の例を示した図である。
【図３】図１の問題情報格納部に格納される情報の例を示した図である。
【図４】図１の登録情報格納部に格納される情報の例を示した図である。
【図５】本発明の実施形態である当選決定システムを用いて当選端末を決定する方法を示したフローチャートである。
【図６】本発明の実施形態である当選決定プログラムを説明するための図である。
【符号の説明】
１０…当選決定システム、２０…移動機、４０…無線通信網、１０１…要求受信部、１０２…情報送信部、１０３…位置受信部、１０４…当選決定部、１０５…当選結果送信部、１１０…問題情報格納部、１１１…登録情報格納部。
【図１】
2004127191.tif 000003
【図２】
2004127191.tif 000004
【図３】
2004127191.tif 000005
【図４】
2004127191.tif 000006
【図５】
2004127191.tif 000007
【図６】
2004127191.tif 000008